(57)【要約】      （修正有）【課題】既製の着物帯の形態を利用した装着バンド及び装着部材を提案する。【解決手段】既製の着物帯を幅方向に分断せずに取り込んでなり、前記着物帯に比べて幅狭で厚い重畳バンド部６を含んでおり、この重畳バンド部６は、前記着物帯の表面の意匠部Ｄ１、Ｄ２，Ｄ３が外部に表れるように、当該着物帯を幅方向Ｗに折り重ね又は巻き重ねることで形成されている。かつ長手方向Ｌの中間部に前記着物帯を折らずに用いた主要バンド部４を有し、この主要バンド部４の両側から、前記主要バンド部４より幅狭に形成した一対の折り重ね式の重畳バンド部６Ａが延出されており、これら重畳バンド部６は、相互に連結可能な長さを有している。【選択図】図１
2020044040.tif 000002
【特許請求の範囲】
【請求項１】
既製の着物帯(Ｂ)を取り込んでなり、
前記着物帯(Ｂ)に比べて幅狭で厚い重畳バンド部(６)を含んでおり、
この重畳バンド部(６)は、前記着物帯(Ｂ)の表面の意匠部(Ｄ)が外部に表れるように、当該着物帯(Ｂ)を幅方向(Ｗ)に折り重ね又は巻き重ねることで形成されている
ことを特徴とする、既製の着物帯を利用した装着バンド。
【請求項２】
既製の着物帯(Ｂ)を幅方向に分断せずに取り込んでなることを特徴とする、請求項１に記載の既製の着物帯を利用した装着バンド。
【請求項３】
長手方向(Ｌ)の中間部に前記着物帯(Ｂ)を折らずに用いた主要バンド部(４)を有し、
この主要バンド部(４)の両側から、前記主要バンド部(４)より幅狭に形成した一対の折り重ね式の重畳バンド部(６Ａ)が延出されており、
これら重畳バンド部は、相互に連結可能な長さを有していることを特徴とする、請求項１又は請求項２に記載の既製の着物帯を利用した装着バンド。
【請求項４】
前記一対の重畳バンド部(６)の先方に、それぞれ、前記着物帯(Ｂ)を折らずに用いた拡幅端部(８)を連続形成していることを特徴とする、請求項２又は請求項３に記載の既製の着物帯を利用した装着バンド。
【請求項５】
前記着物帯(Ｂ)を巻き重ね式の重畳バンド部(６Ｂ)とするとともに、この重畳バンド部の一対の長手方向端部(ｅ１、ｅ２)同士を連結してループ状としたことを特徴とする、既製の着物帯を利用した請求項１又は請求項２に記載の装着バンド。
【請求項６】
動物の曳き手として用いられる装着部材であって、
被装着箇所への結合具(１２)を、請求項１記載の装着バンド(２)に連結しており、
前記装着バンド(２)は、着物帯(Ｂ)の長手方向(Ｌ)の全体を幅方向に折り重ねて重畳バンド部(６)として、
この重畳バンド部(６)の両面に着物帯(Ｂ)の意匠部(Ｄ)が表れるように設けるとともに、
その重畳バンド部(６)の長手方向外方の少なくとも一方の側部を前記結合具１２に係止させてなることを特徴とする、装着部材。
【発明の詳細な説明】
【技術分野】
【０００１】
本発明は、既製の着物帯を利用して形成されるバンド又はストラップであって物の周囲に装着するためのもの、例えばスーツケースに装着されるバンド（スーツケースベルト）、動物の顔回り（頭部付近）に装着するバンド、動物の曳き手として動物の顔回りの装備に装着される部材に関する。
【背景技術】
【０００２】
物品や動物に装着されるバンド・ストラップとして、
キャリーバッグなどのスーツケースの周囲に巻き付ける織帯製のバンド本体の両端にバッグルを取り付け、これらバッグル同士を結合することで装着されるケース用装着バンド（特許文献１）、
馬の口内へ含ませるための細長い金具（馬銜本体）の両側に装着リングを取り付けた水勒馬銜（特許文献２）、
旅行カバン類・バッグ類・馬具類などに用いられる可調式ストラップであって、金属製のハーフバックルに設けた長孔状の挿通孔に皮製のストラップの先部を挿通し、挿通孔の両側のストラップ部分を重畳させ、この重畳箇所を調節金具で固定したもの（特許文献３）
乗馬の首部に取り付けるための革製ネックストラップ（非特許文献１）
がそれぞれ知られている。
【先行技術文献】
【特許文献】
【０００３】
【特許文献１】特開２０１６−２０２７９４
【特許文献２】特表２００８−５０７９９７
【特許文献３】特表２００３−５１０１４７
【特許文献４】特開２００５−２３２６３５
【特許文献５】特開平１−２０１５０７
【０００４】
【非特許文献１】“商品カタログ革製ネックストラップ”  株式会社渡辺馬具、［online］、［平成３０年８月２７日検索］インターネット（URL:http://watanabebagu.com/marutan/%E9%9D%A9%E8%A3%BD%E3%83%8D%E3%83%83%E3%82%AF%E3%82%B9%E3%83%88%E3%83%A9%E3%83%83%E3%83%97/）
【発明の概要】
【発明が解決しようとする課題】
【０００５】
近年、伝統的な工芸品の価値を見直し、これを日用品としてリメイクしようとする機運が高まっている。特に着物帯は、芸術性が高いにも関わらず、成人式や結婚式などの特別な機会のために誂えて着用した後には長くタンスの中に保管され、使われなくなってしまうことが多い。
しかしながら、特許文献１〜３及び非特許文献１は、着物帯の再利用については言及していない。
着物帯のリメイクに関しては、一人で着用しにくい既製の着物帯を加工して、一人で着用し易い態様のものとする技術が開示されている（特許文献４）。
しかしながら、これは、着物帯を着物帯にリメイクするものである。着物帯の柄や色目は年齢により好みがあり、若いときに誂えた着物帯が派手すぎて着用しにくいなどの事情があるときには、いくら使い勝手を改善しても、長期間使われなくなった着物帯の活用には繋がらない。
着物帯を別の物品に転用することに関しては、既製の着物帯を被服であるベストにリメイクする技術が開示されている（特許文献５）。これは既製の着物帯からベストの身丈の２倍の長さの着物帯部分を切り取り、その長手方向の中間部に首を通すための挿通孔を形成するととともに、中間部で折り曲げて前見頃及び後見頃を形成し、その前見頃を、左右に２分割して、その分割箇所から前記挿通孔の縁に亘ってバイアステープを取り付けたものである。
しかしながら、着物帯を幅方向に分割するように切断したり、その切断箇所にバイアステープを取り付けてしまうと、着物帯の本来の美しさや作品性は失われてしまう。すなわち、着物帯の職人は着物帯の重厚感や季節感などさまざまな要素を考慮してデザインを決めるのであり、それを安易に分割すると、帯のリサイクル製品としての品質が損なわれてしまうのである。
具体的には、着物帯の幅方向に分割すると、織物の糸に緩みを生ずるために柄や手刺繍を傷つけてしまうおそれがある。そればかりか、着物帯の種類によっては手触りさえ変わってしまうこともあるのである。
本出願人は、既製の着物帯の形態をできるだけ活かしたままで別の製品にリメイクすることに取り組み、着物帯を利用した装着バンド及び装着部材を提案するに至った。
【０００６】
本発明の第１の目的は、既製の着物帯の形態を利用した装着バンド及び装着部材を提案することである。
本発明の第２の目的は、使い勝手が良い装着バンド及び装着部材を提案することである。
【課題を解決するための手段】
【０００７】
第１の手段は、既製の着物帯Ｂを取り込んでなり、
前記着物帯Ｂに比べて幅狭で厚い重畳バンド部６を含んでおり、
この重畳バンド部６は、前記着物帯Ｂの表面の意匠部Ｄが外部に表れるように、当該着物帯Ｂを幅方向Ｗに折り重ね又は巻き重ねることで形成されている。
【０００８】
本手段では、図１又は図６に示すように、既製の着物帯を利用して形成された装着バンドであって、既製の着物帯Ｂを取り込んでなるものを提案する。
この装着バンドは、前記着物帯Ｂに比べて幅狭で厚い重畳バンド部６を含んでおり、この重畳バンド部６を把持して操作することが容易である。
また前記重畳バンド部６は、前記着物帯Ｂの表面の意匠部Ｄが外部に表れるように、当該着物帯Ｂを幅方向Ｗに折り重ね又は巻き重ねることで形成されている。従って着物帯Ｂの表面の意匠を外面に表すことで装飾的効果を高めることができる。
装着バンドのデザインとして、既製の着物帯を利用する理由は、老若男女を問わずに広い需要者層に対して普遍的な美観を発揮し得る着物帯をバンドにリメイクし、ユーザーにその意匠部Ｄを目で見て或いは手で触れてもらうことで、着物帯の意匠の優秀性を世間に広めるためである。
本発明の装着バンドは、既製の着物帯Ｂを幅方向に分断せずに取り込んでなることが好適であるが、本手段においては、幅方向の一部を切断したものを除外していない。これについては後述する。
【０００９】
第２の手段は、第１の手段を有し、かつ既製の着物帯Ｂを幅方向に分断せずに取り込んでなる。
【００１０】
本手段では、図４、図８又は図１３に示す如く、製造過程において、既製の着物帯を幅方向に分断せずに装着バンドに取り込んでいる。それにより既製の着物帯の幅方向の形態をリメイク品である日用品にそっくり取り込むことができる。こうすることで着物帯の本来の意匠の美観を損なわないので、その意匠のデザインとしての評価を高めることができる。
【００１１】
第３の手段は、第１の手段又は第２の手段を有し、かつ長手方向Ｌの中間部に前記着物帯Ｂを折らずに用いた主要バンド部４を有し、
この主要バンド部４の両側から、前記主要バンド部４より幅狭に形成した一対の折り重ね式の重畳バンド部６Ａが延出されており、
これら重畳バンド部は、相互に連結可能な長さを有している。
【００１２】
本手段では、図１に示すように、長手方向Ｌの中間部に前記着物帯Ｂを折らずに用いた主要バンド部４の両側から、前記主要バンド部４より幅狭の一対の重畳バンド部６を延出させた構成を提案している。
これら重畳バンド部６は、相互に連結可能な長さを有しており、従って、これらの重畳バンド部６を用いて、装着バンド２を他物（キャリーバッグ等）に取り付けることができる。また重畳バンド部６は、折り重ね式であるから、主要バンド部４から重畳バンド部６を延出する構造を無理なく形成することができる。
「連結可能な長さ」の「連結」とは、既知のひも結びと同様の方法により、相互に結び付けること（結わえること）を意味し、外部の連結具などを用いることを要しない。
好適な一実施例として、本手段を有し、かつ、前記着物帯Ｂの表面に構成された意匠部Ｄが前記主要バンド部４の片面から少なくとも重畳バンド部６の両面へ連続して表れる構成としてもよい。これにより、着物帯Ｂの美麗さを損なわずに実用品である装着バンドに再現できる。
【００１３】
第４の手段は、第２の手段又は第３の手段を有し、
前記一対の重畳バンド部６の先方に、それぞれ、前記着物帯Ｂを折らずに用いた拡幅端部８を連続形成している。
【００１４】
本手段では、図１に示す如く、前記一対の重畳バンド部６の先方に、それぞれ、前記着物帯Ｂを折らずに用いた拡幅端部８を連続形成している。従って、図５（Ａ）及び図５（Ｂ）に示すように、前記重畳バンド部６同士を結び付けた状態で結び箇所がほどけにくい。
【００１５】
第５の手段は、第１の手段を有し、
前記着物帯Ｂを巻き重ね式の重畳バンド部６Ｂとするとともに、この重畳バンド部の一対の長手方向端部ｅ１、ｅ２同士を連結してループ状とした。
【００１６】
本手段では、図６に示すように、前記着物帯Ｂの長手方向Ｌの全体を重畳バンド部６とするとともに、この重畳バンド部の一対の長手方向端部ｅ１、ｅ２同士を連結してループ状としている。従って、動物の顔回りへの装着バンド（例えばネックストラップなど）の用途に用いるのに好適である。
【００１７】
第６の手段は、
動物の曳き手として用いられる装着部材であって、
被装着箇所への結合具１２を第１の手段に記載の装着バンド２に連結しており、
前記装着バンド２は、着物帯Ｂの長手方向Ｌの全体を幅方向に折り重ねて重畳バンド部６として、
この重畳バンド部６の両面に着物帯Ｂの意匠部Ｄが表れるように設けるとともに、
その重畳バンド部６の長手方向外方の少なくとも一方の側部を前記結合具１２に係止させてなる。
【００１８】
本手段では、図１１に示すように、被装着箇所への結合具１２を、第１の手段に記載の装着バンド２を連結材として連結している。そして図１４に示すように、動物（例えば馬・ラクダ・ダチョウのような家畜）の曳き手として用いられたときに重畳バンド部６の両面の意匠部Ｄが展開状態で表れるから、着物帯Ｂの形態の美しさを最も有効に利用できる。
装着バンドに既製の着物帯を用いる理由として、着物帯の美しさ及び手触りの心地よさに加えて丈夫さを挙げることができる。着物帯は織物の目が詰まっているために帯全体としての強度が大きいのである。特に本手段の重畳バンド部は、もともと丈夫な着物帯を幅方向に重ねて形成されているため、ロープ並みの強度を発揮しうる。
なお、前述の「長手方向外方の一方の側部」は、同方向内方へ折り返してかつ固定することでループ状に折り返してループ状係止部９に形成し、このループ状係止部を前記結合具１２に取り付けもよい。
【発明の効果】
【００１９】
第１の手段に係る発明によれば、
既製の着物帯Ｂを取り込んでいるから、一般家庭などで使われなくなった既製の着物帯の意匠を、広く老若男女の目に触れる日用品に活用でき、
前記着物帯Ｂに比べて幅狭で厚い重畳バンド部６を含んでいるから、重畳バンド部６を把持して操作することが容易であり、
この重畳バンド部６は、前記着物帯Ｂの表面が外部に表れるように、当該着物帯Ｂを幅方向Ｗに折り重ね或いは巻き重ねることで形成されているから、着物帯Ｂの表面の意匠を外面に表すことで装飾的効果を高めることができる。
第２の手段に係る発明によれば、既製の着物帯Ｂの形態を幅方向に分断せずに取り込んでいるから、既製の着物帯の幅方向の形態をそっくり日用品に取り込むことができ、その意匠のデザインとしての評価を高めることができる。
第３の手段に係る発明によれば、長手方向Ｌの中間部に前記着物帯Ｂを折らずに用いた主要バンド部４の両側から、前記主要バンド部４より幅狭の一対の重畳バンド部６が延出されており、これら重畳バンド部６は、相互に連結可能な長さを有するから、これらの重畳バンド部６を用いて、装着バンド２を他物（キャリーバッグ等）に取り付けることができる。
第４の手段に係る発明によれば、前記一対の重畳バンド部６の先方に、それぞれ、前記着物帯Ｂを折らずに用いた拡幅端部８を連続形成しているから、前記重畳バンド部６同士を結び付けた状態で結び箇所がほどけにくい。
第５の手段に係る発明によれば、前記着物帯Ｂの長手方向Ｌの全体を重畳バンド部６とするとともに、この重畳バンド部の一対の長手方向端部ｅ１、ｅ２同士を連結してループ状としたから、動物の顔回りの装着具（例えば動物の首に掛けるネックストラップ）として用いるのに好適である。
第６の手段に係る発明によれば、被装着箇所への結合具１２を第１の手段に記載の装着バンド２に連結しており、結合具と反対側で装着バンドを掴んで動物の曳き手として用いられたときに重畳バンド部６の両面の意匠部Ｄが展開状態で表れるから、着物帯Ｂの形態の美しさを最も有効に利用できる。
【図面の簡単な説明】
【００２０】
【図１】本発明の第１実施形態に係る装着バンドの表面図である。
【図２】図１の装着バンドの裏面図である。
【図３】図１の装着バンドのIII-III方向から見た断面図である。
【図４】図１の装着バンドを製造する手順の説明図であり、  同図（Ａ）は、着物帯の長手方向の半分を省略して示す着物帯のはじめの状態を、  同図（Ｂ）は、着物帯の一部（重畳バンド部形成箇所）を折り曲げる作業を、  同図（Ｃ）は、折り返し箇所を縫い付ける作業を、それぞれ示している。
【図５】図１の装着バンドをスーツケースに使用した状態の説明図であり、同図（Ａ）は使用状態を側方から見た図であり、同図（Ｂ）は、同図（Ａ）のＢ−Ｂ方向から見た図である。
【図６】本発明の第２実施形態に係る装着バンドの側面図である。
【図７】図６の装着バンドをＩＩＶ-ＩＩＶ方向から見た断面図である。
【図８】図６の装着バンドを製造する手順の前半部分の説明図であり、  同図（Ａ）は、着物帯（作図上の便宜上長手方向の長さを短く描いている）のはじめの状態を、  同図（Ｂ）は、着物帯を幅方向に２つに折り重ねた作業を、  同図（Ｃ）は、折り重ねた着物帯を巻き重ねる作業の第１工程を、  同図（Ｄ）は、折り重ねた着物帯を巻き重ねる作業の第２工程を、  同図（Ｅ）は、巻き重ねた着物帯を縫い留めて重畳バンド部とする作業を、それぞれ示している。
【図９】図６の装着バンドを製造する手順の後半部分の説明図であり、  同図（Ａ）は、重畳バンド部をＣ字状に曲げて一方の長手方向端部を他方の長手方向端部内へ挿入する作業を、  同図（Ｂ）は、長手方向端部同士を固定してループ状の重畳バンド部とする作業を、  それぞれ示している。
【図１０】図６の装着バンドの実施例であり、装着バンドに吊り下げ具を取り付けた構成を示している。
【図１１】本発明の第３実施形態に係る装着部材を長手方向の中間部を省略して描いた図である。
【図１２】図１１の装着部材の断面図である。
【図１３】図１１の装着バンドを製造する手順の説明図であり、  同図（Ａ）は、着物帯のはじめの状態を、  同図（Ｂ）は、着物帯を幅方向に２つ折り状態になるように折り畳む作業を、  同図（Ｃ）は、折り畳んだ着物帯の片方の端部を縫い合わせて重畳バンド部とする作業を、  同図（Ｄ）は、重畳バンド部の両側にループ状係止部を形成する作業を、  それぞれ示している。
【図１４】図６の装着バンド及び図１１の装着部材を馬に適用した実施例を示す図である。
【図１５】本発明の装着バンドの実施例（図１１の実施形態の変形例）を示す図である。
【発明を実施するための最良の形態】
【００２１】
図１から図５は、本発明の第１の実施形態に係る装着バンド２を示している。
この装着バンド２は、一本の着物帯Ｂを利用して形成されたものであり、この着物帯Ｂと同幅の主要バンド部４を有し、この主要バンド部４から幅狭で厚い重畳バンド部６を突出し、この重畳バンド部６の先側に拡幅端部８を形成している。
なお、本明細書において、“着物帯”という用語は、着物用の帯として製造・販売されている製品そのものだけでなく、当該製品を長手方向Ｌに適当な長さに切断したものを含むものとする。
本実施形態の装着バンド２は、前記着物帯Ｂを幅方向Ｗに分断せずにそのまま取り入れた構造を有する。
“そのまま取り入れる”とは着物帯を表地と裏地とに解体したりせずに、そのままの形態でという意味である。これにより、着物帯の重厚感や固有の肌触りなどを残しながら、着物帯の意匠を再利用することができる。
もっとも、着物帯Ｂを長手方向に切断することは構わないものとする。着物帯Ｂは長いものであるから、実用品にリメイクする際に長手方向に切断するのは止むを得ないことである。和服に着物帯を締めた状態では、着物帯のデザインの主要部は、胴正面の部分或いはお太鼓の部分であり、もともと着物帯の長手方向の全体が見えることを想定していないから、着物帯Ｂを長手方向に切断しても、必ずしも意匠の価値は損なわれない。
これに対して着物帯Ｂを幅方向に分断してしまうと、着物帯の製作者である職人が意匠に籠めた意図が損なわれてしまう。着物帯の意匠は、通常、使う時期に合った季節感や使用者の嗜好に応じた美観を演出するように構成されているものである。
着物帯を幅方向に分断することにより、その分断箇所で意匠の形態が不自然に切れてしまうと、前述の美観なども減殺される。
そこで、本実施形態では、装着バンド２のうちで幅を狭くしなければならない箇所に関しては、着物帯の幅方向の一部を折り返して重畳バンド部６とし、着物帯Ｂの幅方向の意匠全体が装着バンド２の外観に表れるようにしている。
【００２２】
この構造を簡易に説明するため、図４に示す装着バンド２の好適な製作手順を解説する。
図４（Ａ）では、少なくとも表側に意匠部Ｄを有する着物帯Ｂの裏側を上にして、作業面上に載置している。
図４（Ｂ）に一点鎖線で示すように、着物帯Ｂの長手方向の中間部と端部との間で、前記重畳バンド部を形成するための折目線ｆを入れる箇所に、従来知られた方法（ヘラ・チョークペンシルなど）で印を付ける。
この印は、着物帯Ｂの幅方向の中央部に全幅の１／２の幅を有する部分（二半部Ｂｈという）が、この部分の両側に、全幅の１／４の幅を有する部分（四半部Ｂｑという）が形成されるように設定する。
そして矢示の通り、一対の四半部Ｂｑを二半部Ｂｈの上側に折り返す。
図４（Ｃ）に示す如く、折り返された各四半部Ｂｑの端部をそれぞれ前記二半部Ｂｈに縫い付ける。符号ｓは縫い目を示している。着物帯は厚みがあるため、これらを縫うときには工業用ミシンを使用するとよい。
前記主要バンド部４のうち重畳バンド部６寄りの部分は、前記着物帯の折返しによりテーパ状部４ａとなっている。
拡幅端部８の重畳バンド部６寄りも同様にテーパ形状になっている。また拡幅端部８の先端側にも必要により縫い目ｓを入れる。
【００２３】
図示例において、装着バンド２は、図１において上下に対称であり、前記一対の重畳バンド部６は同じ長さに形成されている。また主要バンド部４は、前記重畳バンド部６より長く形成してされている。もっともこれらの構造は適宜変更することができる。
前記拡幅端部８は、重畳バンド部６より幅広であり、少なくとも重畳バンド部６の先端において主要バンド部４と同幅に形成されている。
また着物帯Ｂの意匠部Ｄは、主要バンド部４の表側に表れる第１意匠部Ｄ１、重畳バンド部６の表裏に表れる第２意匠部Ｄ２、拡幅端部８の表側に表れる第３意匠部Ｄ３として、装着バンド２の外観の構成要素となっている。
従って、着物帯の意匠部Ｄを幅方向に分断したり、或いは着物帯を表地と裏地とに解体したりすることがないので、着物帯本来の特長（例えば重厚感や手触り）が失われることがなく、意匠の固有の季節感や独特の美しさを活かして再利用することができる。
本実施形態の重畳バンド部６は、着物帯の両側の全幅の１／４の部分を、全幅の１／２の部分の上に折り重ねて縫い留めた折り重ね式の重畳バンド部６Ａであるので、簡単に作成することができる。
また着物帯を折り重ねることで実用上も十分な強度が得られる。
図５は、本実施形態の装着バンド２をキャリーバッグ式のケース１００に装着した実施例を示している。図面中、１０２は車輪、１０４はハンドルである。図示例では、装着バンド２の周囲に縦向きに巻き、ハンドル１０４内に前記重畳バンド部６同士を通して、相互に結び付けている。
装着バンド２は、重畳バンド部６よりも拡幅端部８が幅広に形成されているため、図５（Ｂ）に示すように相互に結び付けた状態で、その結び目がほどけにくい。
本実施形態の装着バンド２の好適な利用方法として、国内旅行又は海外旅行において飛行機内に持ち込むキャリーバッグの周囲にスーツケースベルトとして巻き付けることを挙げる。
目的地に到達した後に、空港の荷物受取場所においてベルトコンベアーから流れ出てくる荷物の中から自分の荷物を受け取る場合には、同じ型や色のスーツケースが流れてくることが多く、自分のものを見分ける作業には神経と使う。それらスーツケースに付した目印（名札）などは、遠目からは判別できないことが多いからである。
本実施形態の帯バンドは、工芸品である着物帯を取り込んでおり、帯の形態や柄が多様であるから、革製又は合成樹脂製の既製品のスーツケースベルトに比べて、それ自体が目印として機能する。従って自分の荷物であることを一目で確認できる。
出発地での荷物の管理にも同様の理由で大変役立つものである。
さらに着物帯を幅方向に分断していないため、生地がロープのように強く切れにくい。しかも前述のようにほどけ難いデザインとなっているので、装飾品であるばかりでなく、防犯対策にも役立つものである。
【００２４】
なお、既製の着物帯の幅方向の形態を活用するという立場からは、既製の着物帯Ｂを幅方向に分断せずに取り込んでなることが好適であるが、リメイク品の設計仕様などの諸事情に応じて、幅方向の一部（例えば着物帯の幅方向の端側であって主要な柄が存在しない部分）を切り離すということは考えられる。
また後述の図６に示す巻き重ね式のタイプのものにおいて、幅方向の全てを含めて巻き重ねると、装着バンドが過剰に太くなってしまうようなときに、装着バンドの表面に表れない箇所で着物帯の幅方向の一部を切除することは考えられる。
【００２５】
以下、本発明の他の実施形態について説明する。これらの説明において第１実施形態と同じ構成に関しては解説を省略する。
【００２６】
図６から図１０及び図１４は、本発明の第２実施形態に係る装着バンド２を示している。なお、図６においては、装着バンド２の構造を明確にするため、装着バンドの表面の意匠を省略して描いている。
この装着バンド２は、例えば乗馬用のネックストラップとして利用することができる。このネックストラップは、競馬場のパドックなどで、例えば不意に棹立ちになった馬の背から騎手が振り落とされることのないように、予め馬の首に掛け、これを騎手が把持するものである（図１４参照）。同図中、Ｒは手綱であり、これと併せてネックストラップを把持することができる。この図１４については、さらに後述する。
前記装着バンド２は、着物帯Ｂを巻き重ね式の重畳バンド部６Ｂとするとともに、この重畳バンド部６Ｂの長手方向端部ｅ１、ｅ２同士を連結することにより、全体としてループ状に形成した構造を有する。
【００２７】
この構造を簡易に説明するため、図８及び図９に示す装着バンド２の好適な製作手順を解説する。
図８（Ａ）では、少なくとも表側に意匠部Ｄを有する着物帯Ｂの裏側を上にして、作業面上に載置している。
図８（Ｂ）に示すように、着物帯Ｂを幅方向に２つ折りする。図中の符号ｂは、折目ｆと反対の側縁部を示している。
次に図８（Ｃ）に示すように、２つ折りした着物帯Ｂを、前記側縁部ｆの側から、幅方向に折る。好ましくは、前記着物帯Ｂを、幅方向に仮想的に複数（図示例では３つ）の幅部分に等分し、そして図８（Ｃ）では第１の幅部分ｗ１を第２の幅部分ｗ２の上に折り返す。
次に、図８（Ｄ）に示すように、第１の幅部分ｗ１及び第２の幅部分ｗ２を第３の幅部分ｗ３の上に折り重ねる。
図面では、説明の便宜上、３つに折り畳んだ形態に描いているが、実際には、着物帯は厚みを有するため、単に折り畳んだというよりも、棒状に巻き重ねた形態となる。
本明細書では、１方向に巻いて重ねた形の重畳バンド部を巻き重ね式重畳バンド部６Ｂというものとする。
次に、図８（Ｅ）に示すように、着物帯Ｂの外側に現れる縁部に沿って、第３の幅部分ｗ３を第２の幅部分ｗ２に手縫いなどにより縫い付け、重畳バンド部６を完成する。
その縫い目ｓは、同図に示すように、重畳バンド部６の一方の長手方向端部ｅ１から他方の長手方向端部ｅ２へ向かって延びている。但し、他方の長手方向端部ｅ２寄りの一定の区間は連結代Ｍｂとして、この区間には縫い目ｓを入れないものとする。
好適な図示例では、自由端である２つの側縁部ｂを内側にして、折目ｆ側の端部が外側にしている。もっとも折目側を内側にして、２つの側縁部を外側にしたものも、本発明の技術的範囲から除外されない。
さらに図示例では、重畳バンド部６の一対の長手方向端部ｅ１、ｅ２のうちで一方の端部ｅ１側において径が細くなるように着物帯を絞り込み、この状態で縫い目ｓを入れる。これにより一方の端部を小径の差手側端部ｅ１とする（図９（Ａ）参照）。
他方の端部ｅ２は、連結代Ｍｂに縫い目を入れていないことを利用して、巻き込みを緩め、端部ｅ２の内部に空洞部Ｃを形成する。
そして同図に示す通り、重畳バンド部６をＣ字状に曲げて、差手側端部ｅ１を受手側端部ｅ２の空洞部Ｃ内へ挿入する。
そして、図９（Ｂ）に示す如く、差手側端部ｅ１と受手側端部ｅ２とを縫い留めてループ状に固定する。図示例では受手側端部の縁に対して平行な２箇所で工業用ミシンを用いて縫い留めている。
本実施形態では、図８（Ｃ）及び図８（Ｄ）の巻き重ね工程の前に、図８（Ｂ）の折り重ね工程を含んでいるため、図示の重畳バンド部６は、巻き重ね式重畳バンド部であると同時に折り重ね式の重畳バンド部でもある。もっとも図８（Ｂ）の折り重ね工程を省略しても構わない。
【００２８】
本実施形態の装着バンド２は、既製の着物帯を巻き重ねて形成しているから、外観が美しく、かつ革などに比べて柔らかいので、敏感に反応する動物への当たり（肌触り）が柔らかい。従って、動物に負担をかけないようにやさしく扱うことができる。また、図６では省略しているが、装着バンド２の表面には、着物帯Ｂの意匠が表れている。従って、本実施形態の装着バンド２は、単に動物を操作するためのバンドというだけではなく、動物を美しく装うための装飾品にもなる。
また馬は繊細な神経を持っているので強風やレース中のスピードにより馬身に装着した布地がはためき、パタパタと音を立ててしまうと、驚いて予期せぬ行動をとってしまうことがある。本発明の装着バンドは、着物帯を幅方向に分割しないことで型くずれのないループ状のネックストラップに仕上げたので、強風などにより音を生じにくく、馬を驚かす心配が少ない。
図１０は、本実施形態の実施例を示している。本例は、図６の装着バンド２の外観に着物帯の意匠の表わすとともに、当該装着バンド２を吊り下げるための吊り下げ具Ｊを取り付けたものである。
この吊り下げ具Ｊは、飾りベルト部ｊ１と係止リングｊ２とで形成される。
飾りベルト部ｊ１は、前記装着バンド２を挿通したループ状のベルトであり、装着バンド２と係止リングｊ２とを連結する役割を有する。
係止リング１２は、外部のフックなどに係止するための部材である。
好適な実施例として、これら飾りベルト部ｊ１及び係止リングｊ２も着物帯を用いて製作することができる。飾りベルト部ｊ１は、例えば着物帯を幅方向に折返して、折目と反対側の縁部を縫い留めることで形成した構成とすることができる。この構成については重畳ベルト部に関して説明したことを援用する。
係止リングｊ２としては、着物帯の飾り紐を用いることができる。
【００２９】
図１１から図１４は、本発明の第３実施形態に係る装着部材１０を示している。
この装着部材１０は、乗馬の曳き手などとして使用可能である。
この装着部材１０は、折り重ね式の重畳バンド部６Ａを含む装着バンド２と、乗馬の頭部に取り付けた装備Ｈへの結合具１２と、装飾リング１４とで形成されている。
前記装着バンド２は、着物帯Ｂを幅方向に２つに折って折り重ね式の重畳バンド部６Ａを形成するとともに、この重畳バンド部６の両端部をループ状係止部９に形成してなる。
好適な一例として、前記重畳バンド部６は、袋帯を幅方向に３つ重ねに折り曲げて縫着することにより形成することができる。
ここで曳き手として重畳バンド部６を採用することの利点を述べる。一般に大型馬（競走馬）に用いる曳き手は３ｍ前後の長さであるが、ロープ状のものであると、片手に納めて持つことに苦労する。これに対して、本発明の重畳バンド部６であると、素早く図１４に示すように、扇のように折り畳んだ状態で手の中に納めることができる。こうした特徴は馬具としての評価を高める上で重要であると考えられる。例えばヨーロッパでは馬曳き役の服装やロープの持ち方が批判の対象となり、優雅に馬具（曳き手）を持つことも評価されるからである。
前記接合具１２は、従来公知の構造であり、前記装備Ｈに引っ掛けることが可能なフック１２ａを結合リング１２ｂに連結してなる。そしてこの結合リングを前記ループ状係止部９に挿通させている。
また図示例において、装着リング１４は、組み紐を１本用いているため、紐の両端に在る糸の房が揺らめいている。組み紐も着物帯と同様に色彩が豊か故に重畳バンド部６が更に引き立つことから、華やいだ雰囲気が期待される。
【００３０】
前記装着バンド２の構造を簡易に説明するため、図１３に示す装着バンド２の好適な製作手順を解説する。
図１３（Ａ）では、少なくとも表側に意匠部Ｄを有する着物帯Ｂの裏側を上にして、作業面上に載置している。
図１３（Ｂ）に示すように、着物帯Ｂを幅方向に３つ折りして、１／３の幅の帯部分を順次重ね合わせる。
次に図１３（Ｃ）に示すように、重ね合わせた帯部分を長手方向に縁に沿って縫い合わせ、折り合わせ式重畳バンド部６を形成する。
図１３（Ｄ）に示すように、重畳バンド部６の長手方向の外方端部を内方へ折り曲げ縫い留めてループ状係止部９を形成している。
【００３１】
図１４は、第２実施形態の装着バンド２及び第３実施形態の装着部材１０の適用例を示している。
装着部材１０の重畳バンド部６は、馬の装備Ｈへの結合具１２と装飾リング１４との連結手段を兼ねており、例えば競馬場で利用者が重畳バンド部６の装飾リング１４寄りの箇所を持って競争馬を曳くときに、重畳バンド部６が展開状態となり、重畳バンド部６の裏表に表された意匠部Ｄが観衆によく見えるから、非常に華やかである。
特に競馬場は、さまざまな老若男女（外国からの観光客を含む）が集まる場所であり、またＴＶなどのメディアを通じて競走馬をパドックで曳くさまが報道されることも多い。普段は余り和服や着物帯になじみのない人々に着物帯の意匠の美しさを実際に目にしてもらうことで、その意匠の評価を高めることができる。
装着バンド２も着物帯の意匠が外部に表れているから、同様に美的効果が高い。
なお、前記装備Ｈは、図示例において従来公知の構造の馬具であり、一般的にハミ（馬銜）９０と頭絡９２とからなる。図示の頭絡９２は項革９２ａと頬革９２ｂと喉革９２ｃと額革９２ｄと鼻革９２ｅとで形成されている。これについては後述する。
【００３２】
以下、本発明の実施例を説明する。
［実施例１］
図１５は、本発明の装着バンド２を、乗馬用の腹帯に適用したものである。乗馬用の腹帯は、鞍を馬の背に固定するための帯状の道具であり、図示しない鞍の両側から吊下げられた複数本の腹帯託革に、腹帯の両端を連結するものである。
本実施例の腹帯は、重畳バンド部６Ａと、この重畳バンド部の長手方向の両端部に付設された連結具１６とからなる。
連結具１６は、バックル１８を先端側に付設した連結ベルト部１７の基端側を、重畳バンド部６Ａに連結させている。図示例では、２種類の連結具（第１連結具１６Ｌ及び第２連結具１６Ｓ）が開示されている。
第1連結具１６Ｌの連結ベルト部１７は重畳バンド部６Ａの折り畳まれた帯地同士の間に挟み込まれ、縫い留められている。
第２連結具１６Ｓの連結ベルト部１７は、重畳バンド部６Ａの両外面に重ねられ、縫い留められている。
これらの構造は、連結具のさまざまな態様を示すために開示したものであり、全て同じ連結方法を採用しても構わない。
重畳バンド６Ａの各両端には、それぞれ一対の連結具１６が付設されている。鞍を安定的に固定するためである。第1連結具１６Ｌは、長いベルト部１７Ｌの先端にバックル１８を付設しており、第２連結具１６Ｓは、短いベルト部１７Ｓの先端にバックル１８を付設している。
［実施例２］
図示はしていないが、巻き重ね式の重畳バンド６Ｂを図６に示すようなループ形状とせず、非ループ形状（図８（Ｄ）に示す棒形状に限らず、Ｕ字形などを含む）として用いることができる。この場合には巻き重ね状態が解けないように、両端部を既知の方法（縫い留めなど）で留める。
好適な一例として、図１４に示す頭絡９２の一部、例えば頬革９２ｂや項革９２ａ又は手綱Ｒにこの実施例を適用することができる。馬具に限らず、それ以外の装着バンドに適用してもよいことは勿論である。
【符号の説明】
【００３３】
２…装着バンド  ４…主要バンド部  ４ａ…テーパ状部  ６…重畳バンド部
６Ａ…折り重ね式重畳バンド部  ６Ｂ…巻き重ね式重畳バンド部
８…拡幅端部  ８ａ…面ファスナー  ９…ループ状係止部
１０…装着部材  １２…結合具  １２ａ…フック  １２ｂ…結合リング
１４…装飾リング  １６…連結具  １６Ｌ…第１連結具  １６Ｓ…第２連結具
１７…連結ベルト  １７Ｌ…長ベルト  １７Ｓ…短ベルト  １８…バックル
９０…馬銜  ９２…頭絡  ９２ａ…項革  ９２ｂ…頬革  ９２ｃ…喉革
９２ｄ…額革  ９２ｅ…鼻革
１００…ケース  １０２…車輪  １０４…ハンドル
Ｂ…着物帯  Ｂｈ…二半部  Ｂｑ…四半部  ｂ…側縁部  Ｃ…空洞部
Ｄ…意匠部  Ｄ１…第１意匠部  Ｄ２…第２意匠部  Ｄ３…第３意匠部
ｅ１…長手方向端部（差手側端部）  ｅ２…長手方向端部（受手側端部）
ｆ…折目  Ｈ…装備（馬具）
Ｊ…吊り下げ具  ｊ１…飾りベルト部  ｊ２…係止リング
Ｌ…長手方向  Ｍｂ…連結代  Ｒ…手綱  ｓ…縫い目  
Ｗ…幅方向  ｗ１…第１幅部分  ｗ２…第２幅部分  ｗ３…第３幅部分
【図１】
2020044040.tif 000003
【図２】
2020044040.tif 000004
【図３】
2020044040.tif 000005
【図４】
2020044040.tif 000006
【図５】
2020044040.tif 000007
【図６】
2020044040.tif 000008
【図７】
2020044040.tif 000009
【図８】
2020044040.tif 000010
【図９】
2020044040.tif 000011
【図１０】
2020044040.tif 000012
【図１１】
2020044040.tif 000013
【図１２】
2020044040.tif 000014
【図１３】
2020044040.tif 000015
【図１４】
2020044040.tif 000016
【図１５】
2020044040.tif 000017
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
既製の着物帯(Ｂ)を幅方向に分断せずに取り込んでなり、
前記着物帯(Ｂ)に比べて幅狭で厚い重畳バンド部(６)を含んでいる、
物又は動物に装着するための装着バンドであって、
前記重畳バンド部(６)は、前記着物帯(Ｂ)の表面の意匠部(Ｄ)が当該重畳バンド部の表裏両面において外部に表れるように、当該着物帯(Ｂ)を幅方向(Ｗ)に折り重ねて、折り重ねた着物帯部分同士を重ね合わせたバンド形状に形成しており、
かつ前記折り重ね状態を維持するために重ね合わせた箇所を縫着したことを特徴とする、既製の着物帯を利用した装着バンド。
【請求項２】
長手方向(Ｌ)の中間部に前記着物帯(Ｂ)を折らずに用いた主要バンド部(４)を有し、
この主要バンド部(４)の両側から、前記主要バンド部(４)より幅狭に形成した一対の折り重ね式の重畳バンド部(６Ａ)が延出されており、
これら重畳バンド部は、相互に連結可能な長さを有していることを特徴とする、請求項１に記載の既製の着物帯を利用した装着バンド。
【請求項３】
前記一対の重畳バンド部(６Ａ)の先方に、それぞれ、前記着物帯(Ｂ)を折らずに用いた拡幅端部(８)を連続形成していることを特徴とする、請求項２に記載の既製の着物帯を利用した装着バンド。
【請求項４】
既製の着物帯(Ｂ)を幅方向に分断せずに取り込んでなり、
前記着物帯(Ｂ)に比べて幅狭で厚い重畳バンド部(６)を含んでいる、
物又は動物に装着するための装着バンドであって、
前記重畳バンド部(６)は、前記着物帯(Ｂ)の表面の意匠部(Ｄ)が外部に表れるように、当該着物帯(Ｂ)を幅方向(Ｗ)に巻き重ねて、棒状のバンド形状に形成しており、
かつ前記巻き重ね状態を維持するために重ね合わせた箇所を縫着したことを特徴とする、既製の着物帯を利用した装着バンド。
【請求項５】
前記着物帯(Ｂ)の長手方向(Ｌ)の全体を巻き重ね式の重畳バンド部(６Ｂ)とするとともに、この重畳バンド部の一対の長手方向端部(ｅ１、ｅ２)同士を連結してループ状としたことを特徴とする、既製の着物帯を利用した請求項４に記載の装着バンド。
【請求項６】
被装着箇所への結合具(１２)に、動物への装着用の装着バンド（２）を連結しており、
この装着バンド（２）は、既製の着物帯（Ｂ）を取り込むとともに、前記着物帯(Ｂ)に比べて幅狭で厚い重畳バンド部(６)を含んでおり、
この重畳バンド部(６)は、前記着物帯(Ｂ)の表面の意匠部(Ｄ)が外部に表れるように、当該着物帯(Ｂ)を幅方向(Ｗ)に折り重ねることで形成されている、
動物の曳き手として用いられる装着部材であって、
前記装着バンド(２)は、着物帯(Ｂ)の長手方向(Ｌ)の全体を幅方向に折り重ねて重畳バンド部(６)として、
この重畳バンド部(６)の両面に着物帯(Ｂ)の意匠部(Ｄ)が表れるように設けるとともに、
その重畳バンド部(６)の長手方向外方の少なくとも一方の側部を前記結合具(１２)に係止させてなることを特徴とする、装着部材。
【手続補正２】
【補正対象書類名】明細書
【補正対象項目名】０００７
【補正方法】変更
【補正の内容】
【０００７】
まず第１の手段及び第４の手段に共通する基本的構成を説明する。
この基本的構成は、
既製の着物帯Ｂを幅方向に分断せずに取り込んでなり、
前記着物帯Ｂに比べて幅狭で厚い重畳バンド部６を含んでいる、
物又は動物に装着するための装着バンドである。
【手続補正３】
【補正対象書類名】明細書
【補正対象項目名】０００８
【補正方法】変更
【補正の内容】
【０００８】
前記基本的構成は、図１又は図６に示すように、物又は動物に装着するための装着バンドであって、既製の着物帯を利用して、既製の着物帯Ｂを取り込んでなるものである。
この装着バンドは、前記着物帯Ｂに比べて幅狭で厚い重畳バンド部６を含んでおり、この重畳バンド部６を把持して操作することが容易である。
装着バンドのデザインとして、既製の着物帯を利用する理由は、老若男女を問わずに広い需要者層に対して普遍的な美観を発揮し得る着物帯をバンドにリメイクし、ユーザーにその意匠部Ｄを目で見て或いは手で触れてもらうことで、着物帯の意匠の優秀性を世間に広めるためである。
さらに前記基本的構成においては、図４、図８又は図１３に示す如く、製造過程において、既製の着物帯を幅方向に分断せずに装着バンドに取り込んでいる。それにより既製の着物帯の幅方向の形態をリメイク品である日用品にそっくり取り込むことができる。こうすることで着物帯の本来の意匠の美観を損なわないので、その意匠のデザインとしての評価を高めることができる。
【手続補正４】
【補正対象書類名】明細書
【補正対象項目名】０００９
【補正方法】変更
【補正の内容】
【０００９】
第１の手段は、前記基本的構成を有し、かつ前記重畳バンド部６は、前記着物帯Ｂの表面の意匠部Ｄが当該重畳バンド部の表裏両面において外部に表れるように、当該着物帯Ｂを幅方向Ｗに折り重ねて、折り重ねた着物帯部分同士を重ね合わせたバンド形状に形成しており、
かつ前記折り重ね状態を維持するために重ね合わせた箇所を縫着している。
【手続補正５】
【補正対象書類名】明細書
【補正対象項目名】００１０
【補正方法】変更
【補正の内容】
【００１０】
本手段では、前記重畳バンド部６は、前記着物帯Ｂの表面の意匠部Ｄが重畳バンド部の表裏両面において外部に表れるように、当該着物帯Ｂを幅方向Ｗに折り重ねることで形成されている。
従って着物帯Ｂの表面の意匠を外面に表すことで装飾的効果を高めることができる。
折り重ねた着物帯部分同士を重ね合わせたバンド形状に形成しており、そして前記折り重ね状態を維持するために重ね合わせた箇所を縫着している。
【手続補正６】
【補正対象書類名】明細書
【補正対象項目名】００１１
【補正方法】変更
【補正の内容】
【００１１】
第２の手段は、第１の手段を有し、かつ長手方向Ｌの中間部に前記着物帯Ｂを折らずに用いた主要バンド部４を有し、
この主要バンド部４の両側から、前記主要バンド部４より幅狭に形成した一対の折り重ね式の重畳バンド部６Ａが延出されており、
これら重畳バンド部は、相互に連結可能な長さを有している。     
【手続補正７】
【補正対象書類名】明細書
【補正対象項目名】００１３
【補正方法】変更
【補正の内容】
【００１３】
第３の手段は、第２の手段を有し、
前記一対の重畳バンド部６の先方に、それぞれ、前記着物帯Ｂを折らずに用いた拡幅端部８を連続形成している。
【手続補正８】
【補正対象書類名】明細書
【補正対象項目名】００１５
【補正方法】変更
【補正の内容】
【００１５】
第４の手段は、前記基本的構成を有し、かつ前記重畳バンド部６は、前記着物帯Ｂの表面の意匠部Ｄが外部に表れるように、当該着物帯Ｂを幅方向Ｗに巻き重ねて、棒状のバンド形状に形成しており、
かつ前記巻き重ね状態を維持するために重ね合わせた箇所を縫着している。
本手段では、前記重畳バンド部６は、前記着物帯Ｂの表面の意匠部Ｄが外部に表れるように、当該着物帯Ｂを幅方向Ｗに巻き重ねることで形成されている。従って着物帯Ｂの表面の意匠を外面に表すことで装飾的効果を高めることができる。
【手続補正９】
【補正対象書類名】明細書
【補正対象項目名】００１６
【補正方法】変更
【補正の内容】
【００１６】
第５の手段は、第４の手段を有し、
前記着物帯Ｂの長手方向Ｌの全体を巻き重ね式の重畳バンド部６Ｂとするとともに、この重畳バンド部の一対の長手方向端部ｅ１、ｅ２同士を連結してループ状とした。
本手段では、図６に示すように、前記着物帯Ｂの長手方向Ｌの全体を重畳バンド部６とするとともに、この重畳バンド部の一対の長手方向端部ｅ１、ｅ２同士を連結してループ状としている。従って、動物の顔回りへの装着バンド（例えばネックストラップなど）の用途に用いるのに好適である。
【手続補正１０】
【補正対象書類名】明細書
【補正対象項目名】００１７
【補正方法】変更
【補正の内容】
【００１７】
第６の手段は、被装着箇所への結合具１２に、動物への装着用の装着バンド２を連結しており、
この装着バンド２は、既製の着物帯Ｂを取り込むとともに、前記着物帯Ｂに比べて幅狭で厚い重畳バンド部６を含んでおり、
この重畳バンド部６は、前記着物帯Ｂの表面の意匠部Ｄが外部に表れるように、当該着物帯Ｂを幅方向Ｗに折り重ねることで形成されている、
動物の曳き手として用いられる装着部材であって、
前記装着バンド２は、着物帯Ｂの長手方向Ｌの全体を幅方向に折り重ねて重畳バンド部６として、
この重畳バンド部６の両面に着物帯Ｂの意匠部Ｄが表れるように設けるとともに、
その重畳バンド部６の長手方向外方の少なくとも一方の側部を前記結合具１２に係止させてなる。
【手続補正１１】
【補正対象書類名】明細書
【補正対象項目名】００１８
【補正方法】変更
【補正の内容】
【００１８】
本手段では、図１１に示すように、被装着箇所への結合具１２を、上述の装着バンド２を連結材として連結している。そして図１４に示すように、動物（例えば馬・ラクダ・ダチョウのような家畜）の曳き手として用いられたときに重畳バンド部６の両面の意匠部Ｄが展開状態で表れるから、着物帯Ｂの形態の美しさを最も有効に利用できる。
装着バンドに既製の着物帯を用いる理由として、着物帯の美しさ及び手触りの心地よさに加えて丈夫さを挙げることができる。着物帯は織物の目が詰まっているために帯全体としての強度が大きいのである。特に本手段の重畳バンド部は、もともと丈夫な着物帯を幅方向に重ねて形成されているため、ロープ並みの強度を発揮しうる。
なお、前述の「長手方向外方の一方の側部」は、同方向内方へ折り返してかつ固定することでループ状に折り返してループ状係止部９に形成し、このループ状係止部を前記結合具１２に取り付けもよい。
【手続補正１２】
【補正対象書類名】明細書
【補正対象項目名】００１９
【補正方法】変更
【補正の内容】
【００１９】
第１の手段及び第４の手段に係る発明によれば、
物又は動物に装着するための装着バンドにおいて既製の着物帯Ｂを取り込んでいるから、一般家庭などで使われなくなった既製の着物帯の意匠を、広く老若男女の目に触れる日用品に活用でき、
既製の着物帯Ｂの形態を幅方向に分断せずに取り込んでいるから、既製の着物帯の幅方向の形態をそっくり日用品に取り込むことができ、その意匠のデザインとしての評価を高めることができ、
前記着物帯Ｂに比べて幅狭で厚い重畳バンド部６を含んでいるから、重畳バンド部６を把持して操作することが容易である。
第１の手段に係る発明によれば、この重畳バンド部６は、前記着物帯Ｂの表面が外部に表れるように、当該着物帯Ｂを幅方向Ｗに折り重ねることで形成されているから、着物帯Ｂの表面の意匠を外面に表すことで装飾的効果を高めることができる。
第２の手段に係る発明によれば、長手方向Ｌの中間部に前記着物帯Ｂを折らずに用いた主要バンド部４の両側から、前記主要バンド部４より幅狭の一対の重畳バンド部６が延出されており、これら重畳バンド部６は、相互に連結可能な長さを有するから、これらの重畳バンド部６を用いて、装着バンド２を他物（キャリーバッグ等）に取り付けることができる。
第３の手段に係る発明によれば、前記一対の重畳バンド部６の先方に、それぞれ、前記着物帯Ｂを折らずに用いた拡幅端部８を連続形成しているから、前記重畳バンド部６同士を結び付けた状態で結び箇所がほどけにくい。
第４の手段に係る発明によれば、前記重畳バンド部６は、前記着物帯Ｂの表面が外部に表れるように、当該着物帯Ｂを幅方向Ｗに巻き重ねることで形成されているから、着物帯Ｂの表面の意匠を外面に表すことで装飾的効果を高めることができる。
第５の手段に係る発明によれば、前記着物帯Ｂの長手方向Ｌの全体を重畳バンド部６とするとともに、この重畳バンド部の一対の長手方向端部ｅ１、ｅ２同士を連結してループ状としたから、動物の顔回りの装着具（例えば動物の首に掛けるネックストラップ）として用いるのに好適である。
第６の手段に係る発明によれば、被装着箇所への結合具１２を第１の手段に記載の装着バンド２に連結しており、結合具と反対側で装着バンドを掴んで動物の曳き手として用いられたときに重畳バンド部６の両面の意匠部Ｄが展開状態で表れるから、着物帯Ｂの形態の美しさを最も有効に利用できる。